(57)【特許請求の範囲】
【請求項１】
人孔の壁面に、上流側配管の流出口と、この流出口と対向して下流側配管の流入口とが設けられ、底部に前記上流側配管の流出口と前記下流側配管の流入口とを接続する溝状のインバートが設けられている人孔の通水構造において、
一端側の内径を前記上流側配管の外径以上の径とし、他端側の内径を前記下流側配管の内径以上で外径以下の径とした略半円錐筒形状に形成され、一端側を前記上流側配管の流出口に当接させたとき、他端側と前記下流側配管の流入口との間に配管の点検に必要な空間を空ける長さを有する流水誘導カバーを前記インバートに被せ、前記流水誘導カバーの一端側を前記上流側配管の流出口が開口する前記人孔の側壁面に、前記上流側配管の流出口を覆うように当接させて固定したことを特徴とする。
【請求項２】
前記流水誘導カバーの内面には、水の流れ方向にフィンが形成されていることを特徴とする請求項１に記載の人孔の通水構造。
【発明の詳細な説明】
【技術分野】
【０００１】
本発明は、下水道に設けられている人孔の通水構造に関する。
【背景技術】
【０００２】
下水道には、下水道の管理、保守、点検等を行うために作業員が地上から入る人孔が所定の間隔で設置されている。人孔は、壁面に下水道の上流側配管の流出口と、この流出口と対向して下流側配管の流入口とが設けられ、底部に上流側配管の流出口と下流側配管の流入口とを接続する溝状のインバートが設けられており、上流側配管の流出口から人孔内に入った水は、インバートを通って下流側配管の流入口へ流れるが、流量が多いときはインバートを溢れる場合もある。
特に、多量の雨が短時間に降った場合、雨水が下水管に集中して流れ込み、水が上流側配管および下流側配管を、配管の５０％を超える流量で流れると、インバートから溢れ出る状況となる。下水道を流れる水は波を打っているため、インバートから溢れた水は大きく波打って人孔の壁面に衝突し、そして、下流側配管の流入口側で急縮して下流側配管に流入するが、下流側配管の流入口側での急縮により損失が発生する。この損失が続くと人孔内に水が溜まりだし、人孔の蓋を吹き上げて地表に水が溢れ出るといった事故が起きる。
【０００３】
このような事故を防止するものとして、従来、人孔の壁面に設けられている上流側管路の流出口と下流側管路の流入口のそれぞれに継手管を配設し、継手管の相互を上流側管路及び下流側管路を構成する管と同等の断面積を持つ接続管で接続した構造とした人孔通水構造が提案されている（例えば、特許文献１参照。）。
特許文献１には、人孔内で上流側管路の流出口と下流側管路の流入口を接続する接続管は、周方向に分割できる分割管で構成し、または接続管に開口蓋を具備し、分割管を外し、または開口蓋を開けることにより接続管の内部の点検を行えるようにしたことが記載されている。
【先行技術文献】
【特許文献】
【０００４】
【特許文献１】特開２００５−２２６４０６号公報
【発明の概要】
【発明が解決しようとする課題】
【０００５】
しかしながら、特許文献１に記載された人孔通水構造によれば、上流側管路の流出口と下流側管路の流入口のそれぞれに配設した継手管の相互を上流側管路及び下流側管路を構成する管と同等の断面積を持つ接続管で接続するが、接続管は人孔の底部に設けられたインバート内に配置されるため、インバートの溝径は、接続管の外径より大径である必要がある。
既設の人孔のインバートの溝径は、一般に上流側管路及び下流側管路を構成する管の内径と同等となっており、このため、既設の人孔に特許文献１に記載された人孔通水構造を実施しようとすると、インバートを拡径するといった手間の掛かる作業を要するといった問題があり、また、接続管の接続は、上流側管路の流出口と下流側管路の流入口のそれぞれに継手管を配設し、継手管の相互を接続管で接続するので、接続管の接続も手間の掛かる作業を要するといった問題がある。
【０００６】
また、下水道の管理、保守として、上流側管路の流出口や下流側管路の流入口から配管内に点検機材を送り込み、配管内を点検するといったことが行われているが、特許文献１記載された人孔通水構造では、接続管を構成する分割管を外し、または開口蓋を開けることにより接続管の内部の点検を行えるようにしているものの、上流側管路の流出口や下流側管路の流入口から配管内に点検機材を送り込み、配管内を点検することは難しく、また、配管内に点検機材を送り込こむことができるとしても、点検の都度、接続管を構成する分割管を外し、または開口蓋を開けるといった手間の掛かる作業を要するといった問題がある。
【０００７】
本発明の目的は、簡単な構成で、雨水が下水管に集中して流れ込み、水が上流側配管および下流側配管を、配管の５０％を超える流量で流れる状況となった場合の人孔流入時の損失を低減させ、人孔内における水位の上昇による事故を防止できるようにするとともに、下水道の点検作業を容易に行えるようにした人孔の通水構造を提供することにある。
【課題を解決するための手段】
【０００８】
上記の目的を達成するために、請求項１に記載の発明は、人孔の壁面に、上流側配管の流出口と、この流出口と対向して下流側配管の流入口とが設けられ、底部に前記上流側配管の流出口と前記下流側配管の流入口とを接続する溝状のインバートが設けられている人孔の通水構造において、一端側の内径を前記上流側配管の外径以上の径とし、他端側の内径を前記下流側配管の内径以上で外径以下の径とした略半円錐筒形状に形成され、一端側を前記上流側配管の流出口に当接させたとき、他端側と前記下流側配管の流入口との間に配管の点検に必要な空間を空ける長さを有する流水誘導カバーを前記インバートに被せ、前記流水誘導カバーの一端側を前記上流側配管の流出口が開口する前記人孔の側壁面に、前記上流側配管の流出口を覆うように当接させて固定したことを特徴とする。
【０００９】
請求項１に記載の人孔の通水構造によれば、一端側の内径を前記上流側配管の外径以上の径とし、他端側の内径を前記下流側配管の内径以上で外径以下の径とした略半円錐筒形状に形成されているので、前記上流側配管の流出口から波を打って前記流水誘導カバーに流入した水は、前記流水誘導カバーの一端側で流速が落ちるとともに圧力が高まり、前記流水誘導カバーの他端側に流れる水は、その過程で中心方向に絞られ高圧となり波打ちが抑えられ安定した圧力で前記流水誘導カバーの他端側から流出することになり、前記流水誘導カバーの他端側から流出する水は拡散が低く抑制され高速で前記下流側配管の流入口へ流れることから、水は前記下流側配管の流入口へ積極的に誘導されることになり、前記下流側配管の流入口への通水効果が高まり、前記流水誘導カバーの他端側から前記人孔内に流出した水が前記人孔の壁面へ衝突することによる渦の発生を小さく抑えることができる。これにより、インバートから溢れた水による損失の低減が図れ、人孔内における水位の上昇を防止できる。
【００１０】
請求項２に記載の発明は、請求項１に記載の、前記流水誘導カバーの内面には、水の流れ方向にフィンが形成されていることを特徴とする。
【００１１】
請求項２に記載の人孔の通水構造によれば、前記流水誘導カバーの内面には、水の流れ方向にフィンが形成されているので、前記流水誘導カバーの他端側に流れる水の直進性が向上し、前記流水誘導カバーの他端側から流出する水は、前記下流側配管の流入口へ一層積極的に誘導されることになり、前記下流側配管の流入口への通水効果が高まり、前記流水誘導カバーの他端側から前記人孔内に流出した水が前記人孔の壁面へ衝突することによる渦の発生を一層小さく抑えることができる。
【発明の効果】
【００１２】
本発明に係る人孔の通水構造によれば、雨水が下水管に集中して流れ込み、水が上流側配管および下流側配管を、配管の５０％を超える流量で流れる状況となった場合の人孔流入時の損失を低減させ、人孔内における水位の上昇による事故を防止できるとともに、下水道の点検作業を容易に行うことができ、更には、本発明を既設の人孔へ実施する場合に、インバートに手を加える必要が無く、構成が簡単なので、本発明を実施するための作業が容易であり、また低コストで実施することができる。
【図面の簡単な説明】
【００１３】
【図１】本発明に係る人孔の通水構造の実施の形態の一例を示す縦断面図である。
【図２】図１に示す人孔の通水構造の要部平面図である。
【図３】図１に示す流水誘導カバーの一例を示す斜視図である。
【図４】流水誘導カバーの他例を示す断面説明図である。
【図５】流水誘導カバーの他例を示す断面説明図である。
【発明を実施するための形態】
【００１４】
以下、本発明に係る人孔の通水構造を実施するための形態の一例を図面を参照して詳細に説明する。
図１は本発明に係る人孔の通水構造の実施の形態の一例を示す縦断面図、図２は図１に示す人孔の通水構造の要部平面図、図３は図１に示す流水誘導カバーの一例を示す斜視図、図４は流水誘導カバーの他例を示す断面説明図、図５は流水誘導カバーの他例を示す断面説明図である。
【００１５】
本例の人孔の通水構造は、人孔１の壁面２に、上流側配管３の流出口４と、この流出口４と対向して下流側配管５の流入口６とが設けられ、底部７に上流側配管３の流出口４と下流側配管５の流入口６とを接続する溝状のインバート８に、略半円形状に形成された流水誘導カバー９が固定されている。
【００１６】
流水誘導カバー９は、一端側１０の内径（半径）Ｒ１を上流側配管３の外径（半径）Ｒ２以上の径とし、他端側１１の内径（半径）Ｒ３を下流側配管５の内径（半径）Ｒ４以上で外径Ｒ５（半径）以下の径とした略半円錐筒形状に形成されている（以下、外径、内径は、すべて半径を意味するものとする。）。
また、流水誘導カバー９の長さＬ１は、流水誘導カバー９の一端側１０を上流側配管３の流出口４に当接させたとき、他端側１１と下流側配管５の流入口６との間に、配管の点検に必要な空間Ｓを空ける長さを有している。本例では、流水誘導カバー９の長さＬ１は、人孔１の内部直径Ｒ６の４０％〜６０％に範囲内に設定されている。
【００１７】
また、流水誘導カバー９の内面は、本例では平滑面となっているが、水の流れ方向に直線状のフィン１２（図４参照）や螺旋状のフィン１２（図５参照）が形成されていることが好ましい。
また、流水誘導カバー９の一端側１０の端縁と長手方向両側辺に、鍔部１３、１４が外側に向けて設けられており、鍔部１３、１４には、固定用のネジ釘（図示せず）を挿入する穴１５が設けられている。
【００１８】
このように構成された流水誘導カバー９は、インバート８に被せ、その一端側１０を上流側配管３の流出口４が開口する人孔１の壁面２に、上流側配管３の流出口４を覆うように当接させて固定している。
流水誘導カバー９の材質にあっては、金属、プラスチック、その他、水圧に耐える強度を有するものであれば特に限定されない。
【００１９】
以上のように構成した  本発明に係る人孔の通水構造によれば、雨水が下水管に集中して流れ込み、波を打った水が上流側配管３および下流側配管５を、配管の５０％を超える流量で流れる状況となった場合、流水誘導カバー９の一端側１０の内径Ｒ１が上流側配管３の外径Ｒ２以上の径となっているので、上流側配管３の流出口４から流水誘導カバー９に流入した水は、流水誘導カバー９の一端側１０で流速が落ちるとともに圧力が高まる。
【００２０】
そして、流水誘導カバー９は、他端側１１の内径Ｒ３が下流側配管５の内径Ｒ４以上で外径Ｒ５以下の径とした略半円錐筒形状に形成されているので、波を打って流水誘導カバー９に流入した水は、他端側１１へ流れる過程で、中心方向に絞られ高圧となり波打ちが抑えられ安定した圧力で流水誘導カバー９の他端側１１から流出することになり、流水誘導カバー９の他端側１１から流出する水は拡散が低く抑制され高速で下流側配管５の流入口６へ積極的に誘導されて流れる。
これにより、下流側配管５の流入口６への通水効果が高まり、流水誘導カバー９の他端側１１から人孔１内に流出した水が人孔１の壁面２へ衝突することによる渦の発生を小さく抑えることができ、インバート８から溢れた水による損失の低減が図れ、人孔１内における水位の上昇を防止できる。
【００２１】
また、流水誘導カバー９の内面に、水の流れ方向に直線状のフィン１２や螺旋状のフィン１２が形成されていると、流水誘導カバー９の他端側１１に流れる水の直進性が向上し、流水誘導カバー９の他端側１１から流出する水は、下流側配管５の流入口６へ一層積極的に誘導されることになり、下流側配管５の流入口６への通水効果が高まり、流水誘導カバー９の他端側１１から人孔１内に流出した水が人孔１の壁面２へ衝突することによる渦の発生を一層小さく抑えることができる。
【符号の説明】
【００２２】
１  人孔
２  壁面
３  上流側配管
４  流出口
５  下流側配管
６  流入口
７  底部
８  インバート
９  流水誘導カバー
１０  一端側
１１  他端側
１２  フィン
１３、１４  鍔部
１５  穴
【図１】
0006291398.tif 000002
【図２】
0006291398.tif 000003
【図３】
0006291398.tif 000004
【図４】
0006291398.tif 000005
【図５】
0006291398.tif 000006